【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
遊技盤面上の略中央部に配設され、複数種類の図柄を変動表示する図柄表示装置と、
前記遊技盤面上に配設され、遊技球が入賞可能な第１始動入賞装置と、
前記遊技盤面上に配設され、遊技球を受け入れない閉状態、及び、遊技球を受け入れやすい開状態に切替可能な開閉片からなる普通電動役物を有する第２始動入賞装置と、
遊技球が通過可能なゲートと、
前記第１始動入賞装置への遊技球の入賞を契機として、第１特別図柄を変動させる第１図柄変動ゲームを表示する第１特別図柄表示部と、
前記第２始動入賞装置への遊技球の入賞を契機として、第２特別図柄を変動させる第２図柄変動ゲームを表示する第２特別図柄表示部と、
前記ゲートを遊技球が通過したことを契機として、普通図柄による普通図柄変動ゲームを表示する普通図柄表示部と、
前記遊技盤面上に配設され、遊技球を受け入れない第１閉鎖状態、及び、遊技球を受け入れやすい第１開放状態に切替可能な第１大入賞装置と、
前記遊技盤面上に配設され、前記図柄表示装置の右側を通過した遊技球を受け入れない第２閉鎖状態、及び、前記図柄表示装置の右側を通過した遊技球を受け入れやすい第２開放状態に切替可能な第２大入賞装置と、
遊技機全体を制御する遊技制御手段と
を備える遊技機であって、
前記遊技制御手段は、
前記第１図柄変動ゲームの結果が大当りになるか否かを判定する第１当り判定手段と、
前記第１当り判定手段による判定結果が大当りとなる場合に、前記第１大入賞装置が前記第１開放状態となる第１大当り遊技状態を付与する第１大当り遊技状態付与手段と、
前記普通図柄変動ゲームの結果が当りになるか否かを判定する当り判定手段と、
前記第２図柄変動ゲームの結果が大当りになるか否かを判定するとともに、前記第２図柄変動ゲームの結果が前記第２大入賞装置を前記第２開放状態とする小当りになるか否かを判定する第２当り判定手段と、
前記第２当り判定手段による判定結果が大当りとなる場合に、前記第１大入賞装置が前記第１開放状態となる第２大当り遊技状態を付与する第２大当り遊技状態付与手段と、
前記第２当り判定手段による判定結果が小当りとなる場合に、小当り遊技状態を付与する小当り遊技状態付与手段と
を備え、
前記第２当り判定手段による判定結果が小当りとなる場合に、前記第２大入賞装置を前記第２閉鎖状態から前記第２開放状態に切り替えることにより、役物内に遊技球が入球可能となり、
前記役物内に入球した遊技球が特別入賞領域を通過した場合に、大当りとなって遊技者に有利な第３大当り遊技状態が付与され、
前記遊技制御手段は、前記第１大当り遊技状態、前記第２大当り遊技状態及び前記第３大当り遊技状態のいずれかが付与された場合に、付与された大当り遊技状態の終了後に、前記普通図柄変動ゲームでの前記普通図柄の変動時間を短縮するとともに、前記開閉片が前記開状態を維持する開放時間を延長する変動時間短縮状態を付与する変動時間短縮状態付与手段を備え、
前記変動時間短縮状態付与手段によって前記変動時間短縮状態が付与された場合に、前記普通図柄変動ゲームの結果が当りとなる確率が、前記変動時間短縮状態が付与されていない場合よりも高くなる
ことを特徴とする遊技機。
【請求項２】
前記第２始動入賞装置は、前記遊技盤面上において前記ゲートの直下となる領域に配設され、
前記開閉片は、前記閉状態である場合に、前記ゲートを通過した遊技球が前記開閉片上を通過して前記第２始動入賞装置の下方に流下する一方、前記開状態である場合に、前記ゲートを通過した遊技球が前記第２始動入賞装置に入賞可能となるように構成され、
前記変動時間短縮状態付与手段によって前記変動時間短縮状態が付与された場合に、前記当り判定手段による判定開始から前記開閉片が前記開状態に切り替わるまでの時間を、前記ゲートを通過した遊技球が落下して前記第２始動入賞装置に到達するまでの時間以下に設定し、
前記変動時間短縮状態付与手段によって前記変動時間短縮状態が付与されない場合に、前記当り判定手段による判定開始から前記開閉片が前記開状態に切り替わるまでの時間を、前記ゲートを通過した遊技球が落下して前記第２始動入賞装置に到達するまでの時間よりも長く設定する
ことを特徴とする請求項１に記載の遊技機。
【請求項３】
前記遊技盤面上において前記第２大入賞装置の下側領域に、
前記第２大入賞装置に入球した遊技球を案内する案内通路と、
前記案内通路によって案内された遊技球が入球可能であり、遊技球が入球しても前記第３大当り遊技状態が付与されない普通入賞領域、及び、前記案内通路によって案内された遊技球が入球可能であり、遊技球の入球により前記第３大当り遊技状態が付与される契機となる前記特別入賞領域を外周部に備え、前記遊技盤面に対して回転することにより、前記案内通路に案内された遊技球を前記普通入賞領域側と前記特別入賞領域側とに振り分ける前記役物である円板状の回転体と
が配設されていることを特徴とする請求項１または２に記載の遊技機。
【請求項４】
前記図柄表示装置が備える１つの表示画面は、
前記第１特別図柄に基づいて生成される複数種類の第１演出図柄を複数列で変動させて図柄組み合わせを導出させる第１図柄組み合わせゲームを行う第１演出図柄表示部と、
前記第２特別図柄に基づいて生成される複数種類の第２演出図柄を複数列で変動させて図柄組み合わせを導出させる第２図柄組み合わせゲームを行う第２演出図柄表示部と
を有し、
前記第２図柄変動ゲームの結果が小当りとなってから前記第２大入賞装置が前記第２開放状態となるまでの間に、前記第２大入賞装置を狙って遊技球を発射すべき旨を遊技者に報知する報知演出を行う
ことを特徴とする請求項１乃至３のいずれか１項に記載の遊技機。
【手続補正２】
【補正対象書類名】明細書
【補正対象項目名】０００７
【補正方法】変更
【補正の内容】
【０００７】
上記の課題を解決するために、請求項１に記載の発明は、遊技盤面上の略中央部に配設され、複数種類の図柄を変動表示する図柄表示装置と、前記遊技盤面上に配設され、遊技球が入賞可能な第１始動入賞装置と、前記遊技盤面上に配設され、遊技球を受け入れない閉状態、及び、遊技球を受け入れやすい開状態に切替可能な開閉片からなる普通電動役物を有する第２始動入賞装置と、遊技球が通過可能なゲートと、前記第１始動入賞装置への遊技球の入賞を契機として、第１特別図柄を変動させる第１図柄変動ゲームを表示する第１特別図柄表示部と、前記第２始動入賞装置への遊技球の入賞を契機として、第２特別図柄を変動させる第２図柄変動ゲームを表示する第２特別図柄表示部と、前記ゲートを遊技球が通過したことを契機として、普通図柄による普通図柄変動ゲームを表示する普通図柄表示部と、前記遊技盤面上に配設され、遊技球を受け入れない第１閉鎖状態、及び、遊技球を受け入れやすい第１開放状態に切替可能な第１大入賞装置と、前記遊技盤面上に配設され、前記図柄表示装置の右側を通過した遊技球を受け入れない第２閉鎖状態、及び、前記図柄表示装置の右側を通過した遊技球を受け入れやすい第２開放状態に切替可能な第２大入賞装置と、遊技機全体を制御する遊技制御手段とを備える遊技機であって、前記遊技制御手段は、前記第１図柄変動ゲームの結果が大当りになるか否かを判定する第１当り判定手段と、前記第１当り判定手段による判定結果が大当りとなる場合に、前記第１大入賞装置が前記第１開放状態となる第１大当り遊技状態を付与する第１大当り遊技状態付与手段と、前記普通図柄変動ゲームの結果が当りになるか否かを判定する当り判定手段と、前記第２図柄変動ゲームの結果が大当りになるか否かを判定するとともに、前記第２図柄変動ゲームの結果が前記第２大入賞装置を前記第２開放状態とする小当りになるか否かを判定する第２当り判定手段と、前記第２当り判定手段による判定結果が大当りとなる場合に、前記第１大入賞装置が前記第１開放状態となる第２大当り遊技状態を付与する第２大当り遊技状態付与手段と、前記第２当り判定手段による判定結果が小当りとなる場合に、小当り遊技状態を付与する小当り遊技状態付与手段とを備え、前記第２当り判定手段による判定結果が小当りとなる場合に、前記第２大入賞装置を前記第２閉鎖状態から前記第２開放状態に切り替えることにより、役物内に遊技球が入球可能となり、前記役物内に入球した遊技球が特別入賞領域を通過した場合に、大当りとなって遊技者に有利な第３大当り遊技状態が付与され、前記遊技制御手段は、前記第１大当り遊技状態、前記第２大当り遊技状態及び前記第３大当り遊技状態のいずれかが付与された場合に、付与された大当り遊技状態の終了後に、前記普通図柄変動ゲームでの前記普通図柄の変動時間を短縮するとともに、前記開閉片が前記開状態を維持する開放時間を延長する変動時間短縮状態を付与する変動時間短縮状態付与手段を備え、前記変動時間短縮状態付与手段によって前記変動時間短縮状態が付与された場合に、前記普通図柄変動ゲームの結果が当りとなる確率が、前記変動時間短縮状態が付与されていない場合よりも高くなることを特徴とする遊技機をその要旨とする。
【手続補正３】
【補正対象書類名】明細書
【補正対象項目名】００１３
【補正方法】変更
【補正の内容】
【００１３】
請求項２に記載の発明は、請求項１において、前記第２始動入賞装置は、前記遊技盤面上において前記ゲートの直下となる領域に配設され、前記開閉片は、前記閉状態である場合に、前記ゲートを通過した遊技球が前記開閉片上を通過して前記第２始動入賞装置の下方に流下する一方、前記開状態である場合に、前記ゲートを通過した遊技球が前記第２始動入賞装置に入賞可能となるように構成され、前記変動時間短縮状態付与手段によって前記変動時間短縮状態が付与された場合に、前記当り判定手段による判定開始から前記開閉片が前記開状態に切り替わるまでの時間を、前記ゲートを通過した遊技球が落下して前記第２始動入賞装置に到達するまでの時間以下に設定し、前記変動時間短縮状態付与手段によって前記変動時間短縮状態が付与されない場合に、前記当り判定手段による判定開始から前記開閉片が前記開状態に切り替わるまでの時間を、前記ゲートを通過した遊技球が落下して前記第２始動入賞装置に到達するまでの時間よりも長く設定することをその要旨とする。